【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】
記憶手段を有する画像記録用の機能部材を着脱自在に保持する画像記録装置であって、
前記機能部材の使用量を検出する使用量検出手段と、
前記使用量に関するデータを前記記憶手段に格納されている前記機能部材の識別データおよび入力された利用者データとともに外部機器に送信する送信手段と、
を有することを特徴とする画像記録装置。
【請求項２】
前記送信手段は、前記機能部材の設置時または前記使用量が規定使用量を超えたときに前記使用量に関するデータを送信することを特徴とする請求項１に記載の画像記録装置。
【請求項３】
前記送信手段は、前記使用量に関するデータの送信の記録を前記記憶手段に送信記録として格納することを特徴とする請求項１または請求項２に記載の画像記録装置。
【請求項４】
前記使用量検出手段が前記機能部材の装着を検知すると、前記送信手段は前記利用者データの入力を要求することを特徴とする請求項１乃至請求項３のいずれか１項に記載の画像記録装置。
【請求項５】
前記機能部材が装着される際に不可逆変化を示す装着手段を更に有し、前記使用量検出手段は、前記不可逆変化によって前記装着を検知することを特徴とする請求項１乃至請求項４のいずれか１項に記載の画像記録装置。
【請求項６】
前記識別データは、前記機能部材を識別するＩＤを含むことを特徴とする請求項１乃至請求項５のいずれか１項に記載の画像記録装置。
【請求項７】
前記記憶手段は、不揮発性メモリであることを特徴とする請求項１乃至請求項６のいずれか１項に記載の画像記録装置。
【請求項８】
前記機能部材は、前記画像記録装置に使用される消耗品を交換可能とするために分割されたカートリッジであり、前記カートリッジには、トナーカートリッジ、インクカートリッジ、感光体ドラムカートリッジ、現像器カートリッジまたはプロセスカートリッジが含まれることを特徴とする請求項１乃至請求項７いずれか１項に記載の画像記録装置。
【請求項９】
記憶手段を有する画像記録用の機能部材を着脱自在に保持する画像記録装置に接続された情報処理装置であって、
前記機能部材の利用者データを入力する入力手段と、
前記機能部材の使用量に応じて外部機器から送信される特典情報を受信する特典情報受信手段と、
前記特典情報に応じて希望情報を前記外部機器に返信する返信手段と、
を有することを特徴とする情報処理装置。
【請求項１０】
前記入力手段は、前記利用者が新規利用者の場合には前記利用者データとして利用者の氏名、住所、Ｅ−ｍａｉｌアドレスの入力を要求し、前記利用者が既に登録済みの利用者の場合には前記利用者データとして利用者のＩＤの入力を要求することを特徴とする請求項９に記載の情報処理装置。
【請求項１１】
前記使用量は、前記画像記録装置が記録媒体に対し前記機能部材を使用し画像記録を実行した回数であることを特徴とする請求項９に記載の情報処理装置。
【請求項１２】
前記使用量は、前記画像記録装置が画像記録に使用するトナーの残量であることを特徴とする請求項９に記載の情報処理装置。
【請求項１３】
前記使用量は、前記画像記録装置が画像記録に使用するレーザ光の照射時間であることを特徴とする請求項９に記載の情報処理装置。
【請求項１４】
画像記録装置に使用される機能部材に係る処理を行う管理サーバであって、
前記機能部材の使用量、利用者データおよび識別データを受信する受信手段と、
前記受信したデータに基づいて、前記利用者単位、前記機能部材単位に分類して格納している登録データを変更するデータ変更手段と、
前記登録データが規定値を超えると前記規定値に応じた情報を前記画像記録装置または該画像記録装置を制御する情報処理装置に送信する情報送信手段と、
を有することを特徴とする管理サーバ。
【請求項１５】
前記機能部材の製造者もしくは販売者によって管理されていることを特徴とする請求項１４に記載の管理サーバ。
【請求項１６】
前記利用者のデータが前記利用者の氏名、住所、Ｅ−ｍａｉｌアドレスを含む新規登録を希望する前記機能部材の利用者の場合には、前記データ変更手段は、前記利用者を前記登録データに新規登録し、次回から使用することができる利用者のＩＤを含む利用者データを送信することを特徴とする請求項１４または乃至請求項１５のいずれか１項に記載の管理サーバ。
【請求項１７】
前記データ変更手段は、前記格納されている登録データに含まれる使用量に前記受信した使用量を加算することを特徴とする請求項１４乃至請求項１６のいずれか１項に記載の管理サーバ。
【請求項１８】
前記登録データに含まれる使用量が予め設定された設定値に達したことを検知した場合に、前記情報送信手段は、前記設定値に応じた特典データを送信することを特徴とする請求項１４乃至請求項１６のいずれか１項に記載の管理サーバ。
【請求項１９】
前記登録データに含まれる使用量が前記機能部材の使用限界を示す設定値に達した場合に、前記情報送信手段は、前記利用者の所在地の近くにある前記機能部材の販売店の連絡先データを送信することを特徴とする請求項１４乃至請求項１６のいずれか１項に記載の管理サーバ。
【請求項２０】
前記登録データに含まれる使用量が前記機能部材の使用限界を示す設定値に達した場合に、前記情報送信手段は、前記利用者の所在地の近くにある前記機能部材の回収業者の連絡先データを送信することを特徴とする請求項１４乃至請求項１６のいずれか１項に記載の管理サーバ。
【請求項２１】
前記登録データに含まれる使用量が前記機能部材の使用限界を示す設定値に達した場合に、前記情報送信手段は、前記利用者の所在地の近くにある販売店に前記機能部材を発注する発注確認データを送信することを特徴とする請求項１４乃至請求項１６のいずれか１項に記載の管理サーバ。
【請求項２２】
記憶手段を有する画像記録用の機能部材を着脱自在に保持する画像記録装置と該画像記録装置に接続された情報処理装置とを有するユーザサイトと、該ユーザサイトとネットワークを介して接続され前記画像記録装置を管理する管理サーバを有するサービスセンタとを含む画像記録装置の管理システムであって、
前記ユーザサイトは、
前記機能部材の使用量を検出する使用量検出手段と、
前記使用量を、前記機能部材を使用する利用者のデータおよび前記記憶手段に格納されている前記機能部材の識別データとともに前記サービスセンタに送信する送信手段と、
を有し、
前記サービスセンタは、
前記送信されてきたデータに基づいて前記利用者単位、前記機能部材単位で格納されている登録データを変更するデータ変更手段と、
前記登録データが規定値を超えると前記規定値に応じた情報を前記ユーザサイトに送信する情報送信手段と、
を有することを特徴とする画像記録装置の管理システム。
【請求項２３】
前記ユーザサイトは、前記サービスセンタから受信した情報に応じて希望情報を返信する返信手段を更に有することを特徴とする請求項２２に記載の画像記録装置の管理システム。
【請求項２４】
前記規定値を超えた前記機能部材の前記識別データを読み取る読取手段と、
前記規定値を超えた前記機能部材の回収個数と、前記機能部材の利用者データを入力するデータ入力手段と、
前記識別データ、前記回収個数、および前記利用者データを送信する回収データ送信手段と、
を有する情報処理装置を更に有することを特徴とする請求項２２に記載の画像記録装置の管理システム。
【請求項２５】
識別データを格納するメモリを備える機能部材を着脱自在に保持する画像記録装置の制御方法であって、
前記機能部材の使用量を検出する使用量検出工程と、
前記使用量に関するデータを前記識別データおよび入力される利用者データともに外部機器に送信する送信工程と、
を有することを特徴とする画像記録装置の制御方法。
【請求項２６】
記憶手段を有する画像記録用の機能部材を着脱自在に保持する画像記録装置に接続された情報処理装置の制御方法であって、
前記機能部材の利用者データを入力する入力工程と、
前記機能部材の使用量に応じて外部機器から送信される特典情報を受信する特典情報受信工程と、
前記特典情報に応じて希望情報を前記外部機器に返信する返信工程と、
を有することを特徴とする情報処理装置の制御方法。
【請求項２７】
画像記録装置に使用される機能部材に係る処理を行う管理サーバの制御方法であって、
前記機能部材の使用量、利用者データおよび識別データを受信する受信工程と、
前記受信したデータに基づいて、前記利用者単位、前記機能部材単位に分類して格納している登録データを変更するデータ変更工程と、
前記登録データが規定値を超えると前記規定値に応じた情報を前記画像記録装置または該画像記録装置を制御する情報処理装置に送信する情報送信工程と、
を有することを特徴とする管理サーバの制御方法。
【請求項２８】
機能部材の識別データを記憶手段を有する画像記録用の機能部材を着脱自在に保持する画像記録装置と該画像記録装置に接続された情報処理装置とを有するユーザサイトと、該ユーザサイトとネットワークを介して接続され前記画像記録装置を管理する管理サーバを有するサービスセンタとを含む画像記録装置の管理システムの制御方法であって、
前記ユーザサイトで、
前記機能部材の使用量を検出する使用量検出工程と、
前記使用量を、前記機能部材を使用する利用者のデータおよび前記識別データとともに送信する送信工程と、
前記サービスセンタで、
前記送信されてきたデータに基づいて前記利用者単位、前記機能部材単位で格納されている登録データを変更するデータ変更工程と、
前記登録データが規定値を超えると前記規定値に応じた情報を前記ユーザサイトに送信する情報送信工程と、
を有することを特徴とする画像記録装置の管理システムの制御方法。
【請求項２９】
識別データを格納するメモリを備える機能部材を着脱自在に保持する画像記録装置を制御するための制御プログラムを格納したコンピュータ可読記憶媒体であって、
前記制御プログラムは、前記画像記録装置に、
前記機能部材の使用量を検出する使用量検出工程と、
前記使用量を前記識別データおよび入力される利用者データともに送信する送信工程と、
を実行させることを特徴とするコンピュータ可読記憶媒体。
【請求項３０】
記憶手段を有する画像記録用の機能部材を着脱自在に保持する画像記録装置に接続された情報処理装置を制御するための制御プログラムを格納したコンピュータ可読記憶媒体であって、
前記制御プログラムは、前記情報処理装置に、
前記機能部材の利用者データを入力する入力工程と、
前記機能部材の使用量に応じて送信される特典情報を受信する特典情報受信工程と、
前記特典情報に応じて希望情報を返信する返信工程と、
を実行させることを特徴とするコンピュータ可読記憶媒体。
【請求項３１】
画像記録装置に使用される機能部材に係る処理を行う管理サーバを制御するための制御プログラムを格納したコンピュータ可読記憶媒体であって、
前記制御プログラムは、前記管理サーバに、
前記機能部材の使用量、利用者データおよび識別データを受信する受信工程と、
前記受信したデータに基づいて、前記利用者単位、前記機能部材単位に分類して格納している登録データを変更するデータ変更工程と、
前記登録データが規定値を超えると前記規定値に応じた情報を送信する情報送信工程と、
を実行させることを特徴とするコンピュータ可読記憶媒体。
【請求項３２】
機能部材の識別データを記憶手段を有する画像記録用の機能部材を着脱自在に保持する画像記録装置と該画像記録装置に接続された情報処理装置とを有するユーザサイトと、該ユーザサイトとネットワークを介して接続され前記画像記録装置を管理する管理サーバを有するサービスセンタとを含む画像記録装置の管理システムを制御する制御プログラムを格納したコンピュータ可読記憶媒体であって、
前記制御プログラムは、
前記ユーザサイトの装置に、
前記機能部材の使用量を検出する使用量検出工程と、
前記使用量を、前記機能部材を使用する利用者のデータおよび前記識別データとともに送信する送信工程と、
を実行させ、
前記サービスセンタの装置に、
前記送信されてきたデータに基づいて前記利用者単位、前記機能部材単位で格納されている登録データを変更するデータ変更工程と、
前記登録データが規定値を超えると前記規定値に応じた情報を前記ユーザサイトに送信する情報送信工程と、
を実行させることを特徴とするコンピュータ可読記憶媒体。
【手続補正２】
【補正対象書類名】明細書
【補正対象項目名】００１９
【補正方法】変更
【補正の内容】
【００１９】
【課題を解決するための手段】
上述の目的を達成するために本発明に係る画像形成装置は以下の構成を備える。すなわち、記憶手段を有する画像記録用の機能部材を着脱自在に保持する画像記録装置であって、前記機能部材の使用量を検出する使用量検出手段と、前記使用量に関するデータを前記記憶手段に格納されている前記機能部材の識別データおよび入力された利用者データとともに外部機器に送信する送信手段と、を有することを特徴とする。
【手続補正３】
【補正対象書類名】明細書
【補正対象項目名】００２０
【補正方法】変更
【補正の内容】
【００２０】
上述の目的を達成するために本発明に係る情報処理装置は以下の構成を備える。すなわち、記憶手段を有する画像記録用の機能部材を着脱自在に保持する画像記録装置に接続された情報処理装置であって、前記機能部材の利用者データを入力する入力手段と、前記機能部材の使用量に応じて外部機器から送信される特典情報を受信する特典情報受信手段と、前記特典情報に応じて希望情報を前記外部機器に返信する返信手段と、を有することを特徴とする。
【手続補正４】
【補正対象書類名】明細書
【補正対象項目名】００２１
【補正方法】変更
【補正の内容】
【００２１】
上述の目的を達成するために本発明に係る管理サーバは以下の構成を備える。すなわち、画像記録装置に使用される機能部材に係る処理を行う管理サーバであって、前記機能部材の使用量、利用者データおよび識別データを受信する受信手段と、前記受信したデータに基づいて、前記利用者単位、前記機能部材単位に分類して格納している登録データを変更するデータ変更手段と、前記登録データが規定値を超えると前記規定値に応じた情報を前記画像記録装置または該画像記録装置を制御する情報処理装置に送信する情報送信手段と、を有することを特徴とする。
【手続補正５】
【補正対象書類名】明細書
【補正対象項目名】００２２
【補正方法】変更
【補正の内容】
【００２２】
上述の目的を達成するために本発明に係る画像記録装置の管理システムは以下の構成を備える。すなわち、記憶手段を有する画像記録用の機能部材を着脱自在に保持する画像記録装置と該画像記録装置に接続された情報処理装置とを有するユーザサイトと、該ユーザサイトとネットワークを介して接続され前記画像記録装置を管理する管理サーバを有するサービスセンタとを含む画像記録装置の管理システムであって、前記ユーザサイトは、前記機能部材の使用量を検出する使用量検出手段と、前記使用量を、前記機能部材を使用する利用者のデータおよび前記記憶手段に格納されている前記機能部材の識別データとともに前記サービスセンタに送信する送信手段と、を有し、前記サービスセンタは、前記送信されてきたデータに基づいて前記利用者単位、前記機能部材単位で格納されている登録データを変更するデータ変更手段と、前記登録データが規定値を超えると前記規定値に応じた情報を前記ユーザサイトに送信する情報送信手段と、を有することを特徴とする。
【手続補正６】
【補正対象書類名】明細書
【補正対象項目名】００２３
【補正方法】変更
【補正の内容】
【００２３】
上述の目的を達成するために本発明に係る画像記録装置の制御方法は以下の構成を備える。すなわち、識別データを格納するメモリを備える機能部材を着脱自在に保持する画像記録装置の制御方法であって、前記機能部材の使用量を検出する使用量検出工程と、前記使用量に関するデータを前記識別データおよび入力される利用者データともに外部機器に送信する送信工程と、を有することを特徴とする。
【手続補正７】
【補正対象書類名】明細書
【補正対象項目名】００２４
【補正方法】変更
【補正の内容】
【００２４】
上述の目的を達成するために本発明に係る情報処理装置の制御方法は以下の構成を備える。すなわち、記憶手段を有する画像記録用の機能部材を着脱自在に保持する画像記録装置に接続された情報処理装置の制御方法であって、前記機能部材の利用者データを入力する入力工程と、前記機能部材の使用量に応じて外部機器から送信される特典情報を受信する特典情報受信工程と、前記特典情報に応じて希望情報を前記外部機器に返信する返信工程と、を有することを特徴とする。
【手続補正８】
【補正対象書類名】明細書
【補正対象項目名】００２５
【補正方法】変更
【補正の内容】
【００２５】
上述の目的を達成するために本発明に係る管理サーバの制御方法は以下の構成を備える。すなわち、画像記録装置に使用される機能部材に係る処理を行う管理サーバの制御方法であって、前記機能部材の使用量、利用者データおよび識別データを受信する受信工程と、前記受信したデータに基づいて、前記利用者単位、前記機能部材単位に分類して格納している登録データを変更するデータ変更工程と、前記登録データが規定値を超えると前記規定値に応じた情報を前記画像記録装置または該画像記録装置を制御する情報処理装置に送信する情報送信工程と、を有することを特徴とする。
【手続補正９】
【補正対象書類名】明細書
【補正対象項目名】００２６
【補正方法】変更
【補正の内容】
【００２６】
上述の目的を達成するために本発明に係る画像記録装置の管理システムの制御方法は以下の構成を備える。すなわち、機能部材の識別データを記憶手段を有する画像記録用の機能部材を着脱自在に保持する画像記録装置と該画像記録装置に接続された情報処理装置とを有するユーザサイトと、該ユーザサイトとネットワークを介して接続され前記画像記録装置を管理する管理サーバを有するサービスセンタとを含む画像記録装置の管理システムの制御方法であって、前記ユーザサイトで、前記機能部材の使用量を検出する使用量検出工程と、前記使用量を、前記機能部材を使用する利用者のデータおよび前記識別データとともに送信する送信工程と、前記サービスセンタで、前記送信されてきたデータに基づいて前記利用者単位、前記機能部材単位で格納されている登録データを変更するデータ変更工程と、前記登録データが規定値を超えると前記規定値に応じた情報を前記ユーザサイトに送信する情報送信工程と、を有することを特徴とする。
【手続補正１０】
【補正対象書類名】明細書
【補正対象項目名】００２７
【補正方法】変更
【補正の内容】
【００２７】
上述の目的を達成するために本発明に係るコンピュータ可読記憶媒体は以下の構成を備える。すなわち、識別データを格納するメモリを備える機能部材を着脱自在に保持する画像記録装置を制御するための制御プログラムを格納したコンピュータ可読記憶媒体であって、前記制御プログラムは、前記画像記録装置に、前記機能部材の使用量を検出する使用量検出工程と、前記使用量を前記識別データおよび入力される利用者データともに送信する送信工程と、を実行させることを特徴とする。
【手続補正１１】
【補正対象書類名】明細書
【補正対象項目名】００２８
【補正方法】変更
【補正の内容】
【００２８】
上述の目的を達成するために本発明に係るコンピュータ可読記憶媒体は以下の構成を備える。すなわち、記憶手段を有する画像記録用の機能部材を着脱自在に保持する画像記録装置に接続された情報処理装置を制御するための制御プログラムを格納したコンピュータ可読記憶媒体であって、前記制御プログラムは、前記情報処理装置に、前記機能部材の利用者データを入力する入力工程と、前記機能部材の使用量に応じて送信される特典情報を受信する特典情報受信工程と、前記特典情報に応じて希望情報を返信する返信工程と、を実行させることを特徴とする。
【手続補正１２】
【補正対象書類名】明細書
【補正対象項目名】００２９
【補正方法】変更
【補正の内容】
【００２９】
上述の目的を達成するために本発明に係るコンピュータ可読記憶媒体は以下の構成を備える。すなわち、画像記録装置に使用される機能部材に係る処理を行う管理サーバを制御するための制御プログラムを格納したコンピュータ可読記憶媒体であって、前記制御プログラムは、前記管理サーバに、前記機能部材の使用量、利用者データおよび識別データを受信する受信工程と、前記受信したデータに基づいて、前記利用者単位、前記機能部材単位に分類して格納している登録データを変更するデータ変更工程と、前記登録データが規定値を超えると前記規定値に応じた情報を送信する情報送信工程と、を実行させることを特徴とする。
【手続補正１３】
【補正対象書類名】明細書
【補正対象項目名】００３０
【補正方法】変更
【補正の内容】
【００３０】
上述の目的を達成するために本発明に係るコンピュータ可読記憶媒体は以下の構成を備える。すなわち、機能部材の識別データを記憶手段を有する画像記録用の機能部材を着脱自在に保持する画像記録装置と該画像記録装置に接続された情報処理装置とを有するユーザサイトと、該ユーザサイトとネットワークを介して接続され前記画像記録装置を管理する管理サーバを有するサービスセンタとを含む画像記録装置の管理システムを制御する制御プログラムを格納したコンピュータ可読記憶媒体であって、前記制御プログラムは、前記ユーザサイトの装置に、前記機能部材の使用量を検出する使用量検出工程と、前記使用量を、前記機能部材を使用する利用者のデータおよび前記識別データとともに送信する送信工程と、を実行させ、前記サービスセンタの装置に、前記送信されてきたデータに基づいて前記利用者単位、前記機能部材単位で格納されている登録データを変更するデータ変更工程と、前記登録データが規定値を超えると前記規定値に応じた情報を前記ユーザサイトに送信する情報送信工程と、を実行させることを特徴とする。
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】削除
【補正の内容】
【手続補正２６】
【補正対象書類名】明細書
【補正対象項目名】００４３
【補正方法】削除
【補正の内容】
【手続補正２７】
【補正対象書類名】明細書
【補正対象項目名】００４４
【補正方法】削除
【補正の内容】
【手続補正２８】
【補正対象書類名】明細書
【補正対象項目名】００４５
【補正方法】削除
【補正の内容】
【手続補正２９】
【補正対象書類名】明細書
【補正対象項目名】００４６
【補正方法】削除
【補正の内容】
【手続補正３０】
【補正対象書類名】明細書
【補正対象項目名】００４７
【補正方法】削除
【補正の内容】
【手続補正３１】
【補正対象書類名】明細書
【補正対象項目名】００４８
【補正方法】削除
【補正の内容】
【手続補正３２】
【補正対象書類名】明細書
【補正対象項目名】００４９
【補正方法】削除
【補正の内容】